Podtech/llm-jp-corpus-v4-ja_patent huggingface dataset:
(57)【要約】【課題】掃除機やモップを単独使用した場合、埃や汚れが完全に取りきれず、空間にまってしまったり、まだら模様になったりしてしまう。掃除する場所によって、掃除用品を変えている場合もあり、準備や交換などの時間を費やしていた。本発明は、以上の問題点を解決するための掃除機サポーターを提供する。【解決手段】シート材の表面側の全周縁と中央長手方向にボア材およびを設け、短手方向に補強材を設け、シートの両端に、帯状のベルトや紐の固定具Ａ、もしくはシートの裏面に、伸縮性のある編状素材や生地の固定具Ｂを設けたことを特徴とする掃除機サポーターである。【選択図】図１
2016077389.tif 000002
【特許請求の範囲】
【請求項１】
シート材の表面側の全周縁と中央長手方向にボア材およびを設け、短手方向に補強材を設け、シートの両端に、帯状のベルトや紐の固定具Ａ、もしくはシートの裏面に、伸縮性のある編状素材や生地の固定具Ｂを設けた掃除機サポーターである。
【発明の詳細な説明】
【技術分野】
【０００１】
本発明は掃除機のヘッド部に取り付け、壁や床および網戸などの掃除に関するものである。
【背景技術】
【０００２】
部屋の壁や網戸および玄関の床の掃除は、主にモップで行っている。
【発明の概要】
【発明が解決しようとする課題】
【０００３】
掃除機やモップを単独使用した場合、埃や汚れが完全に取りきれず、空間にまってしまったり、まだら模様になったりしてしまう。掃除する場所によって、掃除用品を変えている場合もあり、準備や交換などの時間を費やしていた。
本発明は、以上の問題点を解決するためになされたものである。
【課題を解決するための手段】
【０００４】
シート材の表面側の全周縁と中央長手方向にボア材およびを設け、短手方向に補強材を設け、シート材の両端に固定するためのベルトや紐または伸縮性のあるネットの固定具を設ける。
以上の構成よりなる掃除機サポーターである。
【発明の効果】
【０００５】
従来不可能とされていた吸引と吸着による掃除を、本発明により可能にした。
【図面の簡単な説明】
【０００６】
【図１】本発明の概要図（固定具を除く）
【図２】本発明の概要図（固定具Ａの形態を示す）
【図３】本発明の概要図（側面図、固定具Ｂの形態を示す）
【発明を実施するための形態】
【０００７】
以下、本発明の実施の形態を説明する。
（イ）長方形で伸縮性またはメッシュ素材のシート材（１）表面の全周縁および長手方向中央部の橋状にボア材（２）を設ける。
（ロ）シート材（１）の短手方向に補強材（３）を設ける。
（ハ）ボア材（２）は、綿やナイロン、ポリエステル、ポリエチレンのファイバーもしくはシート状の集合体である。
（ニ）シート（１）の両端に、帯状のベルトや紐の固定具Ａ（４）、もしくはシート（１）の裏面に、伸縮性のある編状素材や生地の固定具Ｂ（５）を設ける。
本発明は以上のような構造である。
本発明を使用するときは、掃除機のヘッド部に装着する。
伸縮性かつメッシュ素材のシート材（１）と補強材およびボア材が設けられた構造であるため、埃や汚れを掃除機による吸引とボア材による吸着を両立が可能である。
【符号の説明】
【０００８】
１  シート材、  ２  ボア材、  ３  補強材、  ４  固定具Ａ、  ５  固定具Ｂ
【図１】
2016077389.tif 000003
【図２】
2016077389.tif 000004
【図３】
2016077389.tif 000005
(57)【要約】【課題】本発明は、枕飯や枕団子等をお供えする食器を、納棺して火葬できるようにすることを課題とする。また、当該食器の使用方法を提案する。【解決手段】枕飯や枕団子等のお供えを盛る故人用の食器であって、プラスチック原料に紙原料を混成させた素材又はバイオプラスチック素材により全体を成形する。プラスチック原料に紙原料を混成させた素材又はバイオプラスチック素材は、ダイオキシン類が発生しない等の特徴があり、焼却に適している。  そして、故人用食器にお供えを盛り、当該故人用食器を枕飾り又は祭壇に供える。その後、お供えを盛った故人用食器を納棺し、お棺と共に火葬する。【選択図】図１
2016077499.tif 000002
【特許請求の範囲】
【請求項１】
枕飯や枕団子等のお供えを盛る故人用の食器であって、プラスチック原料に紙原料を混成させた素材又はバイオプラスチック素材により全体を成形した、故人用食器。
【請求項２】
請求項１に記載の故人用食器において、
丸皿と、この丸皿の底面に当該丸皿の径よりも小さい径の円錐台形状の脚を備えた、故人用食器。
【請求項３】
請求項１又は２に記載の故人用食器にお供えを盛り、当該故人用食器を枕飾り又は祭壇に供え、その後、お供えを盛った前記故人用食器を納棺し、お棺と共に火葬する、故人用食器の使用方法。
【発明の詳細な説明】
【技術分野】
【０００１】
本発明は、故人の枕飾りや葬儀の祭壇に、枕飯や枕団子等を供える際に使用する食器と、その使用方法に関する。
【背景技術】
【０００２】
故人の枕飾りや葬儀の祭壇には、枕飯や枕団子等が供えられる。お供えする際には、故人が生前使用していた茶碗等の食器が用いられる。供えた後のご飯やお団子は処分せずにラップ等にくるみ、故人と共に納棺する。故人が生前使っていた茶碗等は、地域によって割る習慣があったり、また、火葬の支障となる場合があるため、納棺しない。
【０００３】
しかし、旅立つ故人にご飯やお団子等を裸のまま持たせるのは憚られる。また、お棺の中にも食器を入れてご飯やお団子等を綺麗に供えておきたい。
【発明の概要】
【発明が解決しようとする課題】
【０００４】
そこで、本発明は、枕飯や枕団子等をお供えする食器を、納棺して火葬できるようにすることを課題とする。また、当該食器の使用方法を提案する。
【課題を解決するための手段】
【０００５】
上記課題を解決するため、本発明では、枕飯や枕団子等のお供えを盛る故人用の食器を、プラスチック原料に紙原料を混成させた素材又はバイオプラスチック素材により全体を成形する。
【０００６】
そして、故人用食器にお供えを盛り、当該故人用食器を枕飾り又は祭壇に供える。その後、お供えを盛った故人用食器を納棺し、お棺と共に火葬する。
【０００７】
プラスチック原料に紙原料を混成させた素材又はバイオプラスチック素材は、ダイオキシン類が発生しない等の特徴があり、焼却に適している。
【発明の効果】
【０００８】
よって、本発明によれば、枕飯や枕団子等をお供えする食器を、納棺して火葬することができる。
【図面の簡単な説明】
【０００９】
【図１】図１は、本発明の実施形態である故人用食器の構成図であり、図１（ａ）は食器の平面図を示し、図１（ｂ）は図１（ａ）のＡ−Ａ断面図を示す。
【図２】図２は、本発明の実施形態である故人用食器の使用方法を示す説明図である。
【発明を実施するための形態】
【００１０】
以下、本発明の一実施形態を図面に基づいて説明する。図１に示す故人用食器１０は、枕団子等のお供えを盛る故人用の食器であり、プラスチック原料に紙原料を混成させた素材又はバイオプラスチック素材により全体が一体的に成形されている。
【００１１】
プラスチック原料に紙原料を混成させた素材としては、例えば、株式会社環境経営総合研究所のマプカ／ＭＡＰＫＡ（登録商標）という素材があり、ＣＯ２削減に貢献する環境対応原料であるとされ、可燃物として扱われ、焼却時にダイオキシンなどの有害ガスを発生しない、とされている。
【００１２】
また、バイオプラスチックは、元々地上にある植物を原料としており、地上のＣＯ２の増減に影響を与えないカーボンニュートラルの性質を持つと言われている。また、焼却時にダイオキシン類が発生しないとされている。
【００１３】
よって、これらの素材により形成した本実施形態の故人用食器は、焼却に適した素材で成形されており、即ち、お棺とともに火葬するのに適した素材により形成されている。
【００１４】
図１には、特に枕団子を盛るのに好適な故人用食器１０の形状を図示している。しかし、図１に示す故人用食器の形状は一例にすぎず、本発明の故人用食器の形状が図１に示す形状に限られるものではない。
【００１５】
図１に示す故人用食器１０の形状を詳述すると、丸皿１と、この丸皿１の底面に当該丸皿１の径よりも小さい径の円錐台形状の脚２を備えた形状になっている。ここで、図中に付記した寸法は一例である。
【００１６】
次に、本実施形態の故人用食器の使用方法を図２に基づいて説明する。まず、手順（Ａ）で、故人用食器１１，１２にお供えを盛り、当該故人用食器１１，１２を枕飾り又は祭壇２０に供える。本実施形態では、茶碗形状の故人用食器１１に盛った枕飯と、脚付き皿形状の故人用食器１２に盛った枕団子とを供えるものとする。その後、手順（Ｂ）で、お供えを盛った故人用食器１１，１２を枕飾り又は祭壇２０から下げ、お棺３０の中の故人の枕元に供える。そして終いに、お供えを盛った故人用食器１１，１２を、お棺３０に入れたまま、お棺３０とともに火葬する。
【００１７】
以上説明した本実施形態によれば、枕飯や枕団子等をお供えした故人用食器を、お供えを盛ったまま故人の枕元に納棺し、そのまま火葬することができる。これにより、旅立つ故人にご飯やお団子等を裸のまま持たせるのではなく、お棺の中にも食器を入れてご飯やお団子等を綺麗に供えて持たせることができる。
【００１８】
ここで、本発明の範囲は、特許請求の範囲に記載した発明の範囲であり、上記の実施形態に限られるものではない。例えば、故人用食器の形状は上記実施形態で示した形状に限らない。また、故人用食器に供える食品の種類も上記実施形態と異なっていてもよい。
【符号の説明】
【００１９】
１  丸皿
２  脚
１０，１１，１２  故人用食器
２０  枕飾り又は祭壇
３０  お棺
【図１】
2016077499.tif 000003
【図２】
2016077499.tif 000004
(57)【要約】      （修正有）【課題】栗の後加工に弾みが付き、栗料理が手軽になる、栗の皮を効率よく削り取る為の原理と装置を提供する。【解決手段】本体ケース筒１内の中心にモーター軸２があり、正逆スイッチ１０で回転するように設置されている。その上に皮受けボウル４が本体ケース筒１の上部にはまっている。その上から盆型回転皿５がモーター軸にはまっている。その上に栗押へガイド板７の付いたガラス蓋８が乗り、蓋の上部にある蓋つまみ９を蓋押へ用取っ手３で押さえている。円錐形の盆型回転皿５の淵にシャー角の付けた刃６を配備した。【選択図】図１
2016077274.tif 000002
【特許請求の範囲】
【請求項１】
円錐形の盆型回転皿▲５▼の淵にシャー角の付けた刃▲６▼を配備した栗皮剥き機。
【請求項２】
正逆スイッチ▲１０▼を配備し、モーター回転ブレーキ制御の電動栗皮剥き機。
【発明の詳細な説明】
【技術分野】
【０００１】  本発明は、栗の皮を効率よく削り取る為の原理と装置に関するものである。
【技術背景】
【０００２】  栗の鬼皮を剥くのには、包丁、専用鋏、刃の付いた円盤を回転させる自動皮むき機が使用されているが、包丁は危険で専用鋏は労力が掛かり、自動皮むき機は大型で高価な割には効果が低い。
【発明の概要】
【発明が解決しようとする課題】
【０００３】  本発明は、自動皮むき機の高効率化によるコスト削減とコンパクト化で、物理的に遠心力を効率よく活用した皮むき機である。
【課題を解決するための手段】
【０００４】  従来は、平面回転台に放射状に配備していた刃を、円錐盆形円盤の淵に切断角を付けて刃を配備し、この刃物盆を回転させ、栗に回転力、遠心力、栗と刃の押力をバランス良く与えて切削効率を向上させる。
【発明の効果】
【０００５】  皮むき時間短縮と栗の切断面がなめらかになる。
【図面の簡単な説明】
【０００６】
【図１】  本体ケース筒から蓋までの組み立て斜面図である。
【図２】  本体全体の断面図である。
【図３】  盆型回転皿、刃、栗押さえガイド板の斜面図である。
【符号の説明】
【０００７】▲１▼  本体ケース筒
▲２▼  モーター軸
▲３▼  蓋押さえ用取っ手
▲４▼  皮受けボウル
▲５▼  盆型回転皿
▲６▼  刃
▲７▼  栗押さえガイド板
▲８▼  ガラス蓋
▲９▼  蓋つまみ
▲１０▼  正逆スイッチ
▲１１▼  回転皿の正回転方向
▲１２▼  栗
【発明を実施するための形態】
【０００８】  本体ケース筒▲１▼内の中心にモーター軸▲２▼があり、正逆スイッチ▲１０▼で回転するように設置されている。その上に皮受けボウル▲４▼が本体ケース筒▲１▼の上部にはまっている。その上から盆型回転皿▲５▼がモーター軸にはまっている。その上に栗押へガイド板▲７▼の付いたガラス蓋▲８▼が乗り、蓋の上部にある蓋つまみ▲９▼を蓋押へ用取っ手▲３▼で押さえている。
【実施例】
【０００９】  ガラス蓋▲８▼を開け、栗を盆型回転皿▲５▼の中に入れてガラス蓋▲８▼で蓋をし、蓋押さえ用取っ手▲３▼で蓋つまみ▲９▼の上を押さえる。【００１０】  ガラス蓋▲８▼上部と蓋押さえ用取っ手▲３▼を手で支えながら、正逆スイッチ▲１０▼を正回転に入れ運転させる。盆型回転皿▲５▼が正回転し、栗▲１２▼はその回転の遠心力で盆型回転皿▲５▼の淵にシャー角の付いた刃▲６▼とガラス蓋▲８▼に付いている栗押さえガイド板▲７▼の間で、刃▲６▼で表皮が削られる。皮を削られた栗▲１２▼は、栗押さえガイド板▲７▼と重量の大きい栗▲１２▼とにより皿の中へ押し戻されて回転しながら入れ替わりを繰り返し表皮が削られていく。削られた栗皮は遠心力で皮受けボウル▲４▼の中に溜まる。
ガラス蓋▲８▼から栗を目視で皮が剥けた状態を判断し、正逆スイッチ▲１０▼を操作して盆型回転皿▲５▼にブレーキを掛けて栗実の削りすぎを防止する。
完全に盆型回転皿▲５▼が停止してから蓋押さえ用取っ手▲３▼を外し、ガラス蓋▲８▼を開けて中の剥けた栗を取り出す。【００１１】  盆型回転皿▲５▼の中心にある軸を抓み持って上に抜き取り中の皮を廃棄する。その下の皮受けボウル▲４▼を外して盆型回転皿▲５▼とガラス蓋▲８▼とを洗浄する。
【図１】
2016077274.tif 000003
【図２】
2016077274.tif 000004
【図３】
2016077274.tif 000005
(57)【要約】      （修正有）【課題】容器栽培植物の根周りの湿気をより容易に保持して水やりの手間を減らすために複数個の部材を寄せ並べて層状の隙間を形成し、湿気を層内に貯留して層内から根に空気と水分を補給できるようにし、合わせて当該部材に根の支持機能を持たせることで栽培植物の発育を促すようにした容器栽培植物の根周りの湿気保持装置を提供する。【解決手段】夫々板様に両面構造を成す複数の部材１、１・・を所要の面同士立て寄せ並べて成る集合部材２を一つ以上形成し、当該集合部材２の適当な一端を適宜な形状の台座に固定した。【選択図】図１
2016077280.tif 000002
【特許請求の範囲】
【請求項１】
適宜な大きさの、夫々が板様に両面構造を成す複数個の部材（１）、（１）・・を所要の面同士立て寄せ並べて成る集合部材（２）を一つ以上数形成し、当該集合部材（２）の適当な一端を十分な大きさの適宜な形状の台座（６）に固定して成る容器栽培植物の根周りの湿気保持装置。
【発明の詳細な説明】
【技術分野】
【０００１】  この発明は容器栽培植物の根周りの湿気保持装置に関するものである。
【背景技術】
【０００２】従来、水耕栽培を除いて、容器栽培植物の根周りの湿気保持は自然物の土やバイオ資材の持つ保水機能に依り、その他に吸水布、セラミック等の人工物の保湿機能を利用している。
【発明の開示】
【発明が解決しようとしている課題】
【０００３】これには次のような欠点があった。
自然物による保湿の維持は水分量のコントロールが難しく、水やりの手間も多い。人工物による保湿維持は扱いやすさ、コスト、性能で問題があり、現状は限定的に行われている。本発明は保湿維持をより簡単にし、水やりの手間を減らすために複数個の板様両面構造の部材を寄せ並べて隙間層を形成して保湿機能を持たせ、その層内から根に水分と酸素を補給する仕組みであり、合わせて、その構成部材自体に根の支持機能を持たせて植物体の伸長を促すのが目的である。
【課題を解決するための手段】
【０００４】  適宜な大きさの、夫々が板様に両面構造を成す複数個の部材（１），（１）・・を所要の面同士立て寄せ並べて成る集合部材（２）を一つ以上形成し、当該部材（２）の適当な一端を適宜な形状の台座（６）に固定する。
本発明は以上の構成である。
【発明の効果】
【０００５】本発明は集合部材（２）によって形成される隙間層に湿気が溜まることにより根周りに保持される湿気の量が増え、穴（３）を通り抜ける根に空気と水分が同時に供給されるため、根腐れも起こりにくい。部材（１）、（１）・・に十分に吸水力のある部材を使えば隙間層内に一層湿気が増え、栽培容器（５）の底部に適当な水位で貯水すれば、部材（１）、（１）・・がその水を吸い上げてさらにより多くの湿気が隙間層内や根周りに保持される。部材（１）、（１）・・に十分な吸水性と合わせて容器機能を持たせば、当容器に溜まった水が滲み出て長期にわたって根周りに湿気を補給できる。加えて本発明は集合部材（２）自体が根周りに壁を成して根を支持するために根が安定して植物本体の成長の促進が期待できる。
【発明を実施するための最良の形態】
【０００６】以下、［図１］を参考にして本発明を実施するための最良の形態を説明する。
適宜な大きさの、夫々が板様に両面構造を成す複数の部材（１）、（１）・・を所要の面同士立て寄せて並べて当該部材同士を相互に固定して成る集合部材（２）を一つ以上形成し、当該集合部材（２）の寄せ並べた面に適宜な大きさと形状の穴（３）を設け、当該集合部材（２）の適当な一端を十分な大きさを有する適宜な形状の台座（６）に、当台座の出来るだけ中央部周辺に立てて、固定する。
本発明は以上の構造である
他の実施例として、［図２］〜［図４］に示すように、互に相似形状を成し、且つ互いに適度に大きさが異なった夫々少なくとも上端が開口した複数の中空立体の部材（１），（１）・・を同心円状に配して集合部材（２）を形成し、当該集合部材（２）の側部に適度な大きさと適宜な形状の穴（３）を一つ以上設け、当該集合部材（２）を台座（６）に適当な一端を固定する。本発明をこのような形態にしても作用、効果は先述の形態と同じである。本発明では、穴（３）の形状は切り抜き穴でも切り取り穴でもよく、部材（１）、（１）・・同士の固定は所要に応じて固定し、且つ固定の仕方も任意であり、集合部材（２）の台座（６）への固定の仕方は着脱方式を含めて任意である。本発明では栽培容器自体を台座（６）にしてもよい。本発明を使用する場合は別用意の適当な形状の栽培容器内に入れ置いたあと夫々の所要の個所に用土を満たして後に植え込む。
【図面の簡単な説明】
【０００７】
【図１】本発明の全体斜視図
【図２】本発明の他の実施例の全体斜視図
【図３】本発明の他の実施例の正面及び側面から観た中央部断面図
【図４】本発明の他の実施例の栽培容器への配置全体斜視図
【符号の説明】
【０００８】１板様両面構造部材
２集合部材
３穴
４排水口
５栽培容器
６台座
【図１】
2016077280.tif 000003
【図２】
2016077280.tif 000004
【図３】
2016077280.tif 000005
【図４】
2016077280.tif 000006
(57)【要約】【課題】  梅干しの新規な加工法により、梅干し自体を変質させ、あらたな効能をえることを目的とする。【解決手段】  本発明の梅干しの加工方法は、梅干しをアルミホイルで包み、オーブントースターで１０〜１５分間加熱することを特徴とする。また、梅干しを９０〜１００℃の温水に、８〜１２分間漬けることを特徴とする。このように、加工された梅干は、そのまま飲食してもよいし、何かの飲食物に混ぜて飲食するようにしてもよい。【特許請求の範囲】
【請求項１】
梅干しを９０〜１００℃の温水に、８〜１２分間漬けることを特徴とする梅干しの加工方法。
【請求項２】
梅干しを耐熱ポリ袋に入れ９０〜１００℃の温水に、８〜１２分間入れることを特徴とする梅干しの加工方法。
【請求項３】
請求項１又は２に記載の加工方法で作製された梅干し、及びオーブントースターで１０〜１５分加熱された、梅干しを原材料として含むことを特徴とする飲食物。
【発明の詳細な説明】
【技術分野】
【０００１】本発明は、梅干しの新規な加工方法に関する。
【背景技術】
【０００２】  梅干しは、その独特な風味及び殺菌性その他の医薬的な効果のため、わが国で古来から食生活上重要な食品として利用されている。
【発明の概要】
【発明が解決しようとする課題】
【０００３】  本発明者は、最近、梅干しにある加工法を施すことにより、梅干し自体がもっていないある効能が生じることを見いだした。
【課題を解決するための手段】
【０００４】  本発明の梅干しの加工方法は、梅干しをアルミホイルで包み、オーブントースターで１０〜１５分間加熱することを特徴とする。
また、本発明の梅干しの加工方法は、梅干しを９０〜１００℃の温水に、８〜１２分間漬けること、また耐熱ポリ袋に入れ９０℃〜１００℃の温水に、８〜１２分程度入れることを特徴とする。
【発明の効果】
【０００５】  上記の加工法により、得られた梅干しの加工品を飲用すると、風邪の症状における咳の緩和、喘息の症状における咳の緩和、花粉症における喉の痛み、涙目の緩和が得られる。
【発明を実施するための形態】
【実施例】
【０００６】  数個の梅干しをアルミホイルで包み、オーブントースターで６００〜１２００Ｗに設定し、１０〜１５分程度、加熱する。
または、数個の梅干しを９０〜１００℃の温水に、８から１２分程度、浸すようにしてもよい。
又梅干しを、耐熱ポリ袋に入れ９０〜１００℃の温水に、８〜１２分程度いれる、
上記のいずれかの方法により加熱された梅干、又はその梅干を原材料の一部とした飲料、食物を飲食することにより、次のような効能がえられている。
風邪の咳込み症状の場合、大人、子供とも２０名以上が飲食することにより、飲食した当日から咳込みの症状が緩和された。
喘息の咳の場合、５０際代で、数年、病院などで治療を受けても治らない方が、飲食することにより、３日程度で症状が緩和された。
喘息の咳の他の場合、８０歳代で、１０年程度この症状に悩まされていた方が、飲食した当日の晩から、症状が緩和された。
花粉症の人、いつもマスクを掛けて歩いていた人、この梅干を朝、晩１ヶずつ食べだしてから、１０日〜１５日位で（１０人の内６名）マスク無しで歩いていた。
(57)【要約】      （修正有）【課題】揺れ動くデザイン部分がスムースな動きをしなかったり、ぎこちない動きをしてしまうという問題を解決するとともに、装身具のデザインのみを楽しむという本来の装身具の楽しみ方に加えて、よりスムースに揺れ動くことのできる、また、微振動でも長い間動き続ける、揺れ動くデザイン部分を有した装身具を提供する。【解決手段】揺れ動くデザイン部分２を有した装身具の、揺れ動くデザイン部分２の回転軸を基準とした左右の重量を均等とし、必要であればベアリング等の回転部品を用いて、よりスムースに、より長い間動き続ける、揺れ動くデザイン部分２を有した装身具とする。【選択図】図１
2016077647.tif 000002
【特許請求の範囲】
【請求項１】
揺れ動くデザイン部分を有した装身具において、揺れ動くデザイン部分が、その回転軸部分を基準として、重力に対して左右が均等の重量になるよう細工した装身具。
【請求項２】
揺れ動くデザイン部分の回転軸部分に、ベアリング等の回転部品を用いた請求項1に記載の装身具。
【請求項３】
揺れ動くデザイン部分が複数ある請求項1に記載の装身具。
【発明の詳細な説明】
【技術分野】
【０００１】
この発明は、身に着ける装身具において、装身具のデザインの一部が、小さな振動により長時間動き続ける装身具に関するものである。
【背景技術】
【０００２】
装身具には、宝石やデザインを楽しむだけでなく、装身具自体に何通りもの使用方法ができるものや、デザインが揺れ動くものなどがあり、多機能になってきている。
【０００３】
デザイン部分を装身具の留め具からはずして、裏返しにしてリバーシブルとして楽しめるものや、デザインの一部が回転をして楽しめるものなどがある。
【０００４】
しかしながら、前述した装身具では、デザイン部分の取り外しがわずらわしかったり、回転するデザインについては、自分で回す必要があったり、動きがスムースでないものなどがあることなどから、問題も多い。
【０００５】
平０６−０６２８１１のように、デザイン部分が回転する、あるいは揺れ動くものもあるが、その動きがスムースでないものもある。
【先行技術文献】
【特許文献】
【０００６】
【特許文献１】平０６−０６２８１１
【発明の概要】
【発明が解決しようとする課題】
【０００７】
この発明は前述した問題点を解決するものであり、装身具のデザイン部分が微振動によってスムースに、しかも長い間揺れ動く装身具を提供することができるものである。
【課題を解決するための手段】
【０００８】
以上の課題を解決するため、この発明では、装身具の揺れ動くデザイン部分の左右、すなわち、揺れ動くデザイン部分の回転軸を基準として、左右に位置するデザインの重量を均等とした。
【０００９】
また、この発明では、装身具の揺れ動くデザイン部分の動きをスムースにするため、揺れ動くデザイン部分の回転軸部分にベアリング等の回転部品を用いることによって、さらにスムースな動きを実現できる。
【００１０】
この発明の装身具は、デザイン部分の回転軸を基準とした左右のデザインの重量が均等になっているので、微振動でも、左右が均衡を保とうとする力が働くことによって、長い間、動き続けることができる。
【発明の効果】
【００１１】
この発明によれば、装身具の一部の揺れ動くデザイン部分が、デザイン部分の回転軸を基準として重力に対し、左右が均等の重さとなっているので、微振動で動きだし、均衡を保とうとする天秤のような動きを長い間続けることができ、さらにベアリング等の回転部品を使用することによって、スムースに動き続ける、画期的な装身具を提供することができるようになった。
【図面の簡単な説明】
【００１２】
【図１】この発明の全体完成図である。
【００１３】
【図２】この発明の部品構成図である。
【発明を実施するための形態】
【００１４】
この発明の装身具は、揺れ動くデザイン部分を固定する本体部分と、揺れ動くデザイン部分、そして、揺れ動くデザイン部分をスムースに動かすためのベアリング等の回転部品、そしてベアリングと揺れ動くデザインを固定するピンからなる。
【００１５】
揺れ動くデザイン部分は、重力方向に対して、回転軸部分を中心とした左右デザインの重量が均等としてなる。
【００１６】
［実施例１］
この発明の装身具の、揺れ動くデザイン部分を宝石とし、製作を行う。
【００１７】
まず、ベアリングを設置できる部分４を設けた本体１を製作し、鎖５を通しネックレスとして使用できるように本体１の上部に穴９を細工を行う。
【００１８】
次に揺れ動くデザイン部分２を製作し、宝石３を設置した後、中心８に検査用のピンを通し、左右の宝石の重量が均等かどうか確認する。
【００１９】
上述した揺れ動くデザイン部分の左右の均衡が保たれていない場合は、左右の重量が均等になるよう、金属部分に細工をし、均等になるようにする。
【００２０】
次に、本体１にベアリング７を設置し、固定した後、固定ピン６をベアリング７、揺れ動くデザイン部２に挿入し、先端はカシメて固定する。
【００２１】
すべての部品が固定された後に、最終研磨を行う。
【００２２】
最後に揺れ動くデザイン部分２の動きを確認し、必要に応じてベアリング７部分に潤滑剤等を塗布する。
【００２３】
揺れ動くデザイン部分２は、宝石を用いるか、あるいは金属のみでも良い。
【００２４】
揺れ動くデザイン部分２を、装身具全体に、複数個所設けることによって、さらに立体的で、複雑な動作をする装身具を作ることもできる。
【産業上の利用可能性】
【００２５】
この発明の装身具は、揺れ動くデザイン部分の重量が、揺れ動くデザイン部分の回転軸を基準として、重力方向に対して左右均等の重量となっているので、微振動でより長い間、スムースに、揺れ動き続けるため、デザイン以外の装身具機能を楽しめるものとなった。
【符号の説明】
【００２６】
１  装身具本体
２  揺れ動くデザイン部分
３  宝石
４  ベアリング固定部
５  鎖
６  固定ピン
７  ベアリング
８  中心穴
１０  全体図
【図１】
2016077647.tif 000003
【図２】
2016077647.tif 000004
(57)【要約】      （修正有）【課題】安定感のない球体花瓶の金属製花瓶ホルダーにおいて、安定感がなかったり、花瓶の洗浄や交換ができなかったりという問題点を解決するとともに、その金属部分に宝石を設置したり、装飾を施すことによって、花瓶を花を楽しむだけのものから、花瓶そのものも設置するだけで楽しめる付加価値を加えることによって、花と花瓶の両方の美しさを楽しめる金属製球体花瓶ホルダーを提供する。【解決手段】球体花瓶１の外周部の円周とほぼ同じ円周の金属製支持部２ａ、２ｂ、３ａ、３ｂを設け、球体花瓶をしっかりと保持できる形状を維持するとともに、球体花瓶を保持する金属製部品に開閉機構４を有した構造を設けることによって、安定感のある利便性に富んだ金属性球体花瓶ホルダーとする。【選択図】図１
2016077650.tif 000002
【特許請求の範囲】
【請求項１】
金属製の保持部分が球体に沿った形状の２本の花瓶支持部と２本の脚部を備えた１対からなり、１対の金属部分下部には、それぞれ開閉可能な連結部を有する球体花瓶を保持する金属製球体花瓶ホルダー。
【請求項２】
金属製支持部と脚部に宝石や装飾を施した請求項1に記載の金属製球体花瓶ホルダー。
【請求項３】
１対の支持部、脚部のうちいずれかが、１本の支持部、脚部である請求項1に記載の金属製球体花瓶ホルダー。
【発明の詳細な説明】
【技術分野】
【０００１】
この発明は、球体形状をした花瓶を安定した状態で固定することのできる、金属性の花瓶ホルダーに関するものである。
【背景技術】
【０００２】
花瓶は近年のガーデニング、フラワーブームもあって、多種多様な形状のものが多くなってきている。
【０００３】
中には数センチメートルほどしかない小さな花瓶や、安定感に欠く形状をした花瓶などもある。
【０００４】
特に球体形状をした花瓶は、そのユニークな形状から人気があるが、固定方法に難しく、諸問題を抱えているのが実情である。
【０００５】
特許公開２００２−２９１５９４に見るような花瓶ホルダーは、良く見かけることができるが、球体形状をした花瓶を安定させるようなものではない。
【先行技術文献】
【特許文献】
【０００６】
【特許文献１】特許公開２００２−２９１５９４
【発明の概要】
【発明が解決しようとする課題】
【０００７】
この発明は前述した問題点を解決するものであり、球体形状をした花瓶であっても安定し、保持することのできる花瓶ホルダーを提供するものである。
【課題を解決するための手段】
【０００８】
以上の課題を解決するため、この発明では、球体形状の花瓶を、包むような形状の金属の枠組みを２つ製作し、それを可動連結することによって球体形状の花瓶を保持するようにした。
【０００９】
また、この発明では、球体形状の花瓶をとりはずすことができるので、洗ったり、交換したりすることが容易にできる。
【００１０】
この発明の花瓶ホルダーは、合計で４つの脚をがあるので、机の上に置いたときでも安定感をもって設置することができる。
【発明の効果】
【００１１】
この発明によれば、球体形状をした花瓶を包むように金属枠ができているので、安定的に花瓶を保持することが可能で、しかも、脚は開閉機構を有しているので、開閉が可能で、花瓶の洗浄や交換を簡単にすることができる画期的な花瓶ホルダーを提供することができるようになった。
【図面の簡単な説明】
【００１２】
【図１】この発明の全体完成図である。
【００１３】
【図２】この発明の開放時の図である。
【００１４】
【図３】この発明の部品構成図である。
【発明を実施するための形態】
【００１５】
この発明の花瓶ホルダーは、金属製の花瓶支持部及び脚部の２本が一つになった１部品が一対と、その脚を開閉可能な可動機構部分を有した構造と、それらを固定するピンからしてなる。
【００１６】
開いた脚の中に花瓶を入れると、脚は閉じる機構となっており、そのまま平坦な場所に設置することによって、球体花瓶を安定させることができる。
【００１７】
［実施例１］
この発明の球体花瓶のホルダーを、それぞれ２つの支持部及び脚部を有した１対の金属製部品と、それを固定するピンとで構成する。
【００１８】
まず、球体花瓶の外周円より幾分大きい円周で、金属製の花瓶支持部上部２ａ、２ｃ、脚部２ｃ、２ｄと、同じく３ａ、３ｂ、３ｃ、３ｄを製作する。
【００１９】
花瓶支持部２と花瓶支持部３には、ちょうど球体花瓶の一番下に位置する箇所に、連結して開閉、可動する構造４を有するようにする。
【００２０】
上述の開閉可能な構造部４は、花瓶支持部２側の下部に、穴の空いた筒状の、しかも筒状の中心あたりが、筒状とほぼ同じ外径形状の空間４を有するようになっている。
【００２１】
次に、花瓶支持部３の下部に、花瓶支持部２に設けた筒状中間の空間に、入り込む寸法で、やはり穴の開いた筒状の形状５を設ける。
【００２２】
花瓶支持部２と３を挿入連結した後、筒状の穴部分にピン６を挿入し、カシメて完成となる。
【００２３】
カシメ部分は、必要に応じて潤滑剤などを塗布する。
【００２４】
球体花瓶を保持する金属部分には、宝石や細工、または新たな飾を付属させても良い。
【産業上の利用可能性】
【００２５】
この発明の球体花瓶用の金属製花瓶ホルダーは、これまで安定した設置が不可能であった球体花瓶を安定感をもって設置することができ、なおかつ、球体花瓶のとりはずしが容易であるので、球体花瓶を安心して使用できるものとなった。
【符号の説明】
【００２６】
１  球体花瓶
２ａ  花瓶支持部上部
２ｂ  花瓶支持部上部
２ｃ  本体脚部
２ｄ  本体脚部
３ａ  花瓶支持部上部
３ｂ  花瓶支持部上部
３ｃ  本体脚部
３ｄ  本体脚部
４    可動開閉構造部
５    可動開閉構造部挿入筒
６    ピン
１０  全体
【図１】
2016077650.tif 000003
【図２】
2016077650.tif 000004
【図３】
2016077650.tif 000005
(57)【要約】【課題】顧客が手に取った商品の動画を自動的に再生する商品陳列棚を提供し、顧客の行動を分析する【解決手段】商品を置く部分に、その商品が手に取られたかどうかを検知する装置（１）を設け、検知した商品がどれであるかを集中管理する制御装置（２）と商品に関する動画を再生する携帯端末（３）を置いた商品説明動画自動再生システムを特徴とする。商品を手に取った情報と棚に戻した情報は集計装置（５）に送られ顧客の行動分析に使用できる。【選択図】図１
2016077840.tif 000002
【特許請求の範囲】
【請求項１】
商品陳列棚に置かれた商品を手にとるとその商品に対応する説明動画を再生させることを特徴とする商品説明動画自動再生システム。
【請求項２】
商品陳列棚の側のみに商品検知部が付いているため商品には一切手を加えずに商品陳列棚に置くだけで設置が完了することを特徴とする商品説明動画自動再生システム。
【請求項３】
顧客が商品陳列装置に近づいたことを検知し、システムの使い方の説明動画を自動再生することを特徴とする商品説明動画自動再生システム。
【請求項４】
再生する動画の登録、各商品との対応付けは携帯端末内またはパソコン内のアプリで行え、商品を手に取った時の動画の自動再生も同じアプリで行えるため取り扱いが容易であることを特徴とする商品説明動画自動再生システム。
【請求項５】
顧客がどの商品をいつ手に取ったか、いつ商品陳列棚に戻したかを集計装置に記録することができるため、顧客の行動分析が可能であることを特徴とする商品説明動画自動再生システム。
【発明の詳細な説明】
【技術分野】
【０００１】この発明は商品陳列棚に置かれた商品を手にとると、その商品に関する動画が自動的に再生されるシステムに関するものである。
【背景技術】
【０００２】従来、商品陳列棚に置かれた商品説明用の動画再生機器は顧客の行動とは無関係に決められた内容の説明を単純に繰り返し再生していた。【０００３】ＩＣタグ等を使用して顧客が手に取った商品の説明を表示するシステムはあるが全ての商品にＩＣタグを貼り付ける必要がある。
【先行技術文献】
【特許文献】
【特許文献１】特開第２００７−２４１８０６号公報
【非特許文献】
【非特許文献１】
【発明の概要】
【発明が解決しようとする課題】
【０００４】これは、次のような欠点があった。
商品を手に取った顧客は、その商品についての説明を直ちに見ることができない。【０００５】またＩＣタグを使用したシステムは全ての商品にＩＣタグを取り付けなければならず手間がかかる。
本発明は、以上の欠点をなくすためになされたものである。
【課題を解決するための手段】
【０００６】商品陳列棚の商品を置く部分に、その商品が手に取られたかどうかを検知する装置（１）を設け、検知した商品がどれであるかを集中管理する制御装置（２）と商品に関する動画を再生する携帯端末（３）を置く。動画は携帯端末（３）に接続された表示装置（４）に表示される。商品を手に取った情報と棚に戻した情報は（５）集計装置に記録される。
また顧客接近検知部（６）により顧客が商品陳列棚に近づいたことを検知しシステムそのものの説明動画を再生する。
本発明は、以上の構成よりなる商品動画自動再生システムである。
【発明の効果】
【０００７】商品を手に取ると直ちに動画が再生されるため顧客はその動画が手に取った商品に関するものだと容易に認識できる。【０００８】また、商品にタグなどを取り付ける必要がないため容易に設置できる。
【図面の簡単な説明】
【０００９】
【図１】本発明の構成図である。
【発明を実施するための形態】
【００１０】以下、本発明を実施するための形態について説明する。
商品陳列棚の商品を置く部分に、その商品が手に取られたかどうかを検知する装置（１）を取り付け、商品を手に取るとその情報が制御装置（２）に伝わる。
制御装置（２）は携帯用端末（３）にどの商品が手に取られたかを伝え、携帯用端末内に格納された該当商品に関する動画を自動的に再生し、表示装置（４）に表示する。
商品を手に取った情報と棚に戻した情報は（５）集計装置に記録される。
また顧客接近検知部（６）により顧客が商品陳列棚に近づいたことを検知しシステムそのものの説明動画を再生する。
【実施例】
【００１１】商品陳列棚にスイッチを取り付け、商品を置くと商品の重みでスイッチがＯＦＦになるようにしておく。顧客が商品を手にとるとスイッチはＯＮになり、その情報が制御装置に伝えられる。制御装置には携帯用タブレットが接続されており、携帯用タブレット内のアプリが、手に取った商品に対応する説明用動画を再生し、携帯用タブレットに接続されたディスプレイに動画が表示される。
アプリはタブレットに格納されている静止画や動画を容易に取り込んで商品説明動画として使用することが可能である。
商品を手に取った情報と棚に戻した情報はインターネットを通してＷｅｂサーバーに送られ集計される。
ドップラーセンサーや焦電センサーなどを用いることによって商品陳列棚に顧客が近づいたことを検知でき、システムの説明動画を再生することができる。
【産業上の利用可能性】
【符号の説明】
【００１２】１  商品検知部
２  制御装置
３  携帯端末
４  表示装置
５  集計装置
６  顧客接近検知部
【図１】
2016077840.tif 000003
(57)【要約】【課題】本発名は、以下に記載のような緊張に関する問題をその場で解消するため、緊張緩和の効果を提供する。（イ）緊張した際に、自身の意思では緊張を抑えられない。（ロ）緊張対策として、深呼吸や体操、つぼの刺激などを行っても十分な効果が得られないケースがある。（ハ）楽器演奏時など、体を自由に動かせない状態では緊張を緩和させる対応をとる事が極めて難しい。（ニ）任意のタイミングで、第三者には気付かれずに緊張を緩和させる事が難しい。【解決手段】台座（１）の上に任意の数の突起（２）を設けた緊張緩和装置。【選択図】図１
2016077842.tif 000002
【特許請求の範囲】
【請求項１】
台座（１）の上に任意の数の突起（２）を設けた緊張緩和装置。
【発明の詳細な説明】
【技術分野】
【０００１】この発明は、任意のタイミングで例えば足の裏の局部等に痛みを与え、脳が緊張している状態から痛みに意識を向けさせる事で、緊張を緩和する事が出来る、緊張緩和シートに関するものである。
【背景技術】
【０００２】起立時に、手を使わずに足裏に刺激を与える道具としては、足つぼマッサージ機や、つぼを刺激する靴の中敷きなど、つぼを刺激する事を目的とした構造を持っていた。
【発明の概要】
【発明が解決しようとする課題】
【０００３】以下に記載のような緊張に関する問題をその場で解消する手段は不十分であり、起立時に手を使わずに足裏に刺激を与えるような道具でも、外傷を伴わずに緊張緩和を促す十分な痛みを任意のタイミングで得るための構造は持っていない。
（イ）緊張した際に、自身の意思では緊張を抑えられない。
（ロ）緊張対策として、深呼吸や体操、つぼの刺激などを行っても十分な効果が得られないケースがある。
（ハ）楽器演奏時など、体を自由に動かせない状態では緊張を緩和させる対応をとる事が極めて難しい。
（ニ）任意のタイミングで、第三者にも気付かれずに緊張を緩和させる事が難しい。
【課題を解決するための手段】
【０００４】板状の台座（１）の上に任意の数の突起（２）を設ける。
本発明は上記のような構成よりなる緊張緩和シートである。
【発明の効果】
【０００５】突起（２）を身体の一部に押し当てる事で、適度な痛みを与える事ができ、緊張を緩和させる効果に即効性を持たせる事出来る。
緊張時に本発明に体重をかける事で、任意のタイミングで瞬時に局部に痛みを与え、脳が緊張している状態から痛みに意識を向けさせる事ができ、緊張を緩和する事が出来る。
【図面の簡単な説明】
【０００６】
【図１】本発明の断面図である。
【図２】本発明の平面図である。
【発明を実施するための形態】
【０００７】以下、本発明を実施するための形態について説明する。
板状の台座（１）の上に任意の数の突起（２）を設ける。
台座（１）、突起（２）には人の体重が加えられても大きく変形しない程度の素材を使用し、全体のサイズは足の踵の範囲に収まる程度で、靴の中に入れて歩ける程度の厚さで構成する。
【実施例】
【０００８】図１に基づいて、実施例として各部品の形状とサイズを以下に記載する。
（イ）台座（１）は、形状は長方形の板状で、厚みは約１ｍｍ、幅は約５．５ｃｍ、長さは約８．５ｃｍ。
（ロ）突起（２）は、形状は球形で直径は約６ｍｍ、突起同士の間隔は約１ｃｍ。
使用例としては、コンサートの本番時等にこの緊張緩和シートを靴の踵部分に敷き、緊張を強く感じた際に加重する事で緊張を緩和する。
【符号の説明】
【０００９】１．台座
２．突起
【図１】
2016077842.tif 000003
【図２】
2016077842.tif 000004
(57)【要約】      （修正有）【課題】背中の痒いところを掻き擦る、通称、孫の手について、他人の手を借りずに軟膏も塗れる掻き方自在の孫の手を提供する。【解決手段】手で握る柄の部分を握り具合の良い、丸みにし、掌部分と握る柄の部分との間に三カ点の指の曲がる方向に折れ曲がる部分を作ってへの字の形とし、掌で握る柄に親指の握り止め３０１、小指側の端に拳の外れ止め３０２とその背に指の滑り止め３０３を設ける。さらに手の指端部分１０１を三層重ねの山形に作り、重なる斜面部分でも掻ける様にする。三層山形の斜面部に横の溝１０２を設け、それにティッシュ紙を被せて輪ゴムで留める。それに適量の軟膏を着ける。【選択図】図１
2016077848.tif 000002
【特許請求の範囲】
【請求項１】
手に相当する指端部分が三層（段）重ねであり、二段山形の板片二枚と一段山形の一枚を順にずらして山形にしている。その両斜面でも掻き擦れる掻き方自在の孫の手
【請求項２】
握る柄の部分が丸みの形であり、握った柄の背側に指の滑り止めとその内側の親指側にそれの握り止め、小指側の端に握った拳の外れ止めを設けている請求項１の掻き方自在の孫の手
【請求項３】
握った柄の親指前とその先の腕の部分、それに手首の部分夫々が指端の曲がる方向へ折れて傾斜している請求項１の掻き方自在の孫の手
【発明の詳細な説明】
【技術分野】
【０００１】本発明は、手首や腕の動作範囲が従来よりも狭く、効率良く痒いところを掻き擦れて疲れず、軟膏塗りも出来る背中掻き（孫の手）に関するものである。
【背景技術】
【０００２】従来の背中掻き（孫の手）は手に相当する指端と手首、それに腕の部分の曲がり具合が様々であり、痒い所を掻き擦るには手首と腕を斜め左右に反らしながら動かしていた。
痒い症状が重く長く続くと、動かす手首や腕が疲れて難儀である。又、手と腕に相当する部分と掌で握る部分が一直線である物が多く、その為、腕の部分が肩骨に当たって指端部分が痒い所に届き難かった。その為、手首や腕を反らして肩骨部分を迂回させていた。又、襟元や腰上への出し入れに指端の曲がりが大きいと衣類に引っ掛かり、曲がりが小さいと手首と腕の動作範囲の広がりで痛むなどしていた。
人手を借りずに痒い所への軟膏塗りなど出来なかった。
【発明の概要】
【発明が解決しようとする課題】
【０００３】以上に述べた事柄を無くす為、
１  手に相当する指の端部分を少ない動かしで効率良く痒い所を掻き擦れる様に改良する。
２  背中掻き（孫の手）の柄の端の握る部分と腕の部分を改良して、手首と腕の動かす範囲を狭くし、それの疲れを大きく軽減させる。
３  手の指端部分の襟元と腰上への出し入れを滑らかにする。
４  人手を借りずに軟膏が塗れる様にする。
本発明は以上の事の為に成されたものである。
【課題を解決する為の手段】
【０００４】１  孫の手の握る柄の部分を掌の握りに沿った丸みの形にする。
２  握る柄の親指前部分を指端が曲がる方向に、更にその先の腕と手首に相当する部分を曲げ、（へ）の字形にする。
３  握る柄の親指前に掌の握り止め、同じく、小指側の柄の端に握った拳の外れ止めと柄の背の部分に指の滑り止めを設ける。
４  手の指端に相当する部分を三層（段）重ねの山形と成し、。その両側面でも掻き擦れる様にする。その曲がり部分に太めの横溝を設ける。
５  三層重ねの部分にティッシュ紙を被せてそれを太目の輪ゴムで留め、被せたティッシュ紙に軟膏を付けて肌に塗る。
【発明の効果】
【０００５】以上の様に、本発明を採用する事で
Ｉ  手首と腕を反らして動かす範囲が従来より狭くなり、その疲れや痛みが極僅かとなった。襟元や腰上からの差し入れがし易く、楽になった。
２  掌の柄の握り具合が良く、握り外れも無くなった。
３  三層重ねの指端の側面によっても掻き擦れて、その効率が良くなった。
４  背中の痒い部分に人手を借りずに軟膏が塗れる。
【図面の簡単な説明】
【０００６】
【図１】本発明の側面縮小図
【図２】手に相当する部分の側面図
【図３】掌部分の平面図
【図４】手の甲の部分の平面図
【図５】握り柄部分の背面図
【図６】握り柄部分の内面図
【図７】握り柄部分の側面図
【図８】指端部分の斜視図
【発明を実施する為の形態】
【０００７】  以下、本発明の実施の形態を図１〜図８に基ずいて説明する。
１  背中掻き（孫の手）の握る柄の部分（図１）（図５〜図７）を掌の握りに沿った形の丸みにして握り易くする。
２  握った柄の親指前部分（図１）（図５〜７）の（３）を指端が曲がる方向に、更に、その先の腕（２）の（４）部分と手首に相当する部分（５）を（図１）の様に折り曲げて（へ）の字形にする。、
３  柄の親指前の指端が曲がる側に掌の握り止め（図１）（図５〜７）の（３０１）を，小指側の柄の端に同じく、握った拳の外れ止め（３０２）と柄の背側に指の滑り止め（図１）（図５〜７）の（３０３）を設ける。
４  手の指の端に相当する部分をその甲の側から内側への三層（段）重ねの山形（図３）（図８）の（１０１）に成す。三層重ねの山形は甲の（背の）側の一段目から二段目内側へ二段山形の板片を（図３）（図８）の様に、三段目の一段山形をずらして重ね合わす。その両斜面部付け根の曲がり部分の手前に横の溝（１０２）を設ける。その部分でも掻き擦れる様にする。
５  軟膏を塗る場合は折り畳んだティッシュ紙を三層重ねの山形部分に被せ、紙の上から太めの輪ゴムを横溝に嵌め入れて止める。
本発明は以上の構成よりなる。
以下、上記構成の動作を説明する。
１  柄の部分の内側（指の曲がる方）に掌を当てて握り、襟元と肩の間、又は、腰回り（腰上）から三層重ねの指端部分を差し入れて掻き擦る。
２  又、通常は指端方向に親指側を向けて握るが、握る柄の内側の端の拳の外れ止めの方を親指側にして握り、腰回り（腰上）から指端を差し入れて掻くと手首と腕の動かしが小さく、疲れず楽である。
４  軟膏を塗る場合は、ティッシュ紙一枚の半分を指端部分の幅に合わせて折り畳み、それに被せる。被せた紙を留めるのは両斜面に設けた溝にそれの上から太めの輪ゴムを嵌め込む。
嵌め込む輪ゴムは握る柄の前端の腕部分に架け備えている。
【符号の説明】
【０００８】  １      手に相当する部分          ３０１  親指前の握り止め
１０１  三層山形の指端部分        ３０２  拳の外れ止め
１０２  輪ゴム用止め溝            ３０３  指の滑り止め
２      腕の部分                  ４      腕の曲がり部分
３      親指前の曲がり部分        ５      手首の曲がり部分
【図１】
2016077848.tif 000003
【図２】
2016077848.tif 000004
【図３】
2016077848.tif 000005
【図４】
2016077848.tif 000006
【図５】
2016077848.tif 000007
【図６】
2016077848.tif 000008
【図７】
2016077848.tif 000009
【図８】
2016077848.tif 000010
(57)【要約】      （修正有）【課題】体の表面を洗浄するためのものだったシャワー装置に、口腔内を洗浄する機能を追加し、１つのシャワー装置で２種類の機能を備える装置を提供する。【解決手段】通常のシャワー装置の一部に隆起を設け、その隆起にも水流を発生するシャワー穴を設け、そちらは口腔内洗浄用とする。通常のシャワー水流と口腔内洗浄用の水流は切り替え装置を設けて、シャワー水流で体の洗浄、または、口腔内の洗浄を容易に切り換えて使用できるようにする。【選択図】なし【特許請求の範囲】
【請求項１】
シャワー装置において、通常のシャワー水流に加え口腔内洗浄用の水流を出すことを特徴とする装置
【請求項２】
シャワー装置において、通常のシャワー水流と口腔内洗浄用の水流とを切り換え装置にて切り換えられることを特徴とする装置
【請求項３】
シャワー装置において、通常のシャワー水流を発生させるシャワーヘッドに口腔内洗浄用の水流を発生させる隆起構造を付加したことを特徴とするシャワー装置
【発明の詳細な説明】
【技術分野】
【０００１】  この発明は、シャワー装置の一部に口腔内を洗浄するための隆起構造とシャワー穴を設け、切り替え装置にてシャワーとの切り替え式としたシャワー装置に関するものである。
【背景技術】
【０００２】  従来、体を洗浄するシャワーと口腔内を洗浄する器具は別々になっていた。
【発明の概要】
【発明が解決しようとする課題】
【０００３】  従来、シャワーは体の表面を洗浄するものであった。
そのシャワーの水圧を用いて口腔内を洗浄する機能をシャワー装置に追加し、１つのシャワー装置に２種類の機能を備えたものが本発明である。
【課題を解決するための手段】
【０００４】  シャワー装置（１）の一部に隆起（２）を設け、その隆起（２）にもシャワー穴（３）を設け、そちらは口腔内洗浄用とする。
通常のシャワーと口腔内洗浄の切り替え装置（４）を設ける。
本発明は、以上の構成よりなる口腔内洗浄機能付き切り替え式シャワー装置である。
【発明の効果】
【０００５】  口腔内洗浄器具がシャワー装置と一体となっているので、シャワーで体を洗浄した直後等に口腔内の洗浄ができ、新たに口腔内洗浄器具を使用する手間が省ける。
シャワー装置に設けた隆起を口腔内に挿入することができるため、口腔内への使用には何ら差し支えない。
【図面の簡単な説明】
【０００６】
【図１】本発明の平面図である。
【図２】本発明の側面図である。
【発明を実施するための形態】
【０００７】  以下、本発明を実施するための形態について説明する。
シャワー装置（１）の一部に隆起（２）を設ける。
シャワー装置（１）と隆起（２）にシャワー穴（３）を設ける。
シャワー装置（１）に切り替え装置（４）を設ける。
本発明は以上のような構造である。
本発明を使用するときはシャワー装置部からの水流で体を洗浄し、切り替え装置を操作したのち隆起からの水流で口腔内の洗浄を実施すればよい。
【符号の説明】
【０００８】  １  シャワー装置
２  隆起
３  シャワー穴
４  切り替え装置
【図１】
2016077849.tif 000002
【図２】
2016077849.tif 000003